【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
結像光学系の予定焦点面からずれた面に所定ピッチで配列された複数のマイクロレンズを有するマイクロレンズアレイと、
前記マイクロレンズアレイを構成する複数のマイクロレンズの後側へ個別に設けられた複数の受光部アレイと、
或るマイクロレンズに設けられた受光部アレイの光電変換出力から第１信号列｛ａ（ｉ）；ｉ＝１，２，３，４，・・・｝を作成すると共に、別のマイクロレンズに設けられた受光部アレイの光電変換出力から第２信号列｛ｂ（ｉ）；ｉ＝１，２，３，４，・・・｝を作成する第１作成手段と、
ｉ番目のマイクロレンズに設けられた受光部アレイのうち所定位置に配置された２つの受光部の光電変換出力から信号ａ（ｉ），ｂ（ｉ）を抽出する処理を、複数のマイクロレンズについてそれぞれ行い、第１信号列｛ａ（ｉ）；ｉ＝１，２，３，４，・・・｝及び第２信号列｛ｂ（ｉ）；ｉ＝１，２，３，４，・・・｝を作成する第２作成手段と、
前記第１作成手段が作成する１対の信号列と、前記第２作成手段が作成する１対の信号列とのうち一方を所定の判断基準で選択し、選択された１対の信号列が表す１対のパターンの間のズレ量により、前記結像光学系の前記予定焦点面における結像状態を検出する結像状態演算手段と
を備えることを特徴とする結像状態検出装置。
【請求項２】
請求項1に記載の結像状態検出装置において、
前記受光部アレイを前記予定焦点面上に逆投影した場合に形成される受光部像の配列ピッチＰｄは、前記マイクロレンズの配列ピッチＰよりも小さい。
【請求項３】
請求項１または請求項２に記載の結像状態検出装置において、
前記マイクロレンズの配列ピッチをＰ、前記結像光学系の部分瞳から１つの受光部へ入射する光束のＦ値をＦP、前記結像光学系の瞳の分割数をＱとしたとき、前記マイクロレンズアレイの配置面から前記予定焦点面までの距離Ｌは、次式を満たす。
Ｐ×ＦＰ ＞ Ｌ ≧ Ｐ×ＦＰ／（Ｑ−４）
【請求項４】
請求項１〜請求項３のいずれか一項に記載の結像状態検出装置において、
前記複数の受光部アレイの中には、受光部の配列方向が第１方向である複数の第１受光部アレイと、受光部の配列方向が前記第１方向とは異なる第２方向である複数の第２受光部アレイとが存在する。
【請求項５】
請求項４に記載の結像状態検出装置において、
前記複数の第１受光部アレイを個別に設けた複数のマイクロレンズと、前記複数の第２受光部アレイを個別に設けた複数のマイクロレンズとは、市松模様に配置される。
【請求項６】
請求項４に記載の結像状態検出装置において、
前記複数の第１受光部アレイと前記複数の第２受光部アレイとは、市松模様に配置される。
【請求項７】
請求項４に記載の結像状態検出装置において、
前記第１受光部アレイを設けたマイクロレンズの配列ピッチと、前記第２受光部アレイを設けたマイクロレンズの配列ピッチとは、互いに異なる。
【請求項８】
請求項４に記載の結像状態検出装置において、
前記第１受光部アレイのアレイ方向の長さと、前記第２受光部アレイのアレイ方向の長さとは、互いに異なる。
【請求項９】
請求項１〜請求項８のいずれか一項に記載の結像状態検出装置において、
前記複数の受光部アレイの中には、互いに異なる分光感度特性を有した複数種類の受光部が存在する。
【請求項１０】
請求項４に記載の結像状態検出装置において、
前記複数の第１受光部アレイの中には、互いに異なる分光感度特性を有した複数種類の第１受光部アレイが存在する。
【請求項１１】
請求項９に記載の結像状態検出装置において、
前記複数種類の受光部のうち、特定の分光感度特性を有した特定種類の受光部は、他の分光感度特性を有した他種類の受光部よりも高密度に配列される。
【請求項１２】
請求項１０に記載の結像状態検出装置において、
前記複数の第１受光部アレイ及び前記複数の第２受光部アレイの各々の中には、特定の波長に感度を有した受光部が存在する。
【請求項１３】
請求項１１または請求項１２に記載の結像状態検出装置において、
互いに異なる分光感度特性を有した複数種類の受光部の間では、互いの大きさが異なる。
【請求項１４】
請求項１〜請求項１３のいずれか一項に記載の結像状態検出装置を焦点検出装置として内蔵するカメラ。
【請求項１５】
請求項１〜請求項１３のいずれか一項に記載の結像状態検出装置における前記マイクロレンズアレイと前記受光部アレイとを有する受光ユニット。
【手続補正２】
【補正対象書類名】明細書
【補正対象項目名】０００６
【補正方法】変更
【補正の内容】
【０００６】
本発明による結像状態検出装置は、結像光学系の予定焦点面からずれた面に所定ピッチで配列された複数のマイクロレンズを有するマイクロレンズアレイと、前記マイクロレンズアレイを構成する複数のマイクロレンズの後側へ個別に設けられた複数の受光部アレイと、或るマイクロレンズに設けられた受光部アレイの光電変換出力から第１信号列｛ａ（ｉ）；ｉ＝１，２，３，４，・・・｝を作成すると共に、別のマイクロレンズに設けられた受光部アレイの光電変換出力から第２信号列｛ｂ（ｉ）；ｉ＝１，２，３，４，・・・｝を作成する第１作成手段と、ｉ番目のマイクロレンズに設けられた受光部アレイのうち所定位置に配置された２つの受光部の光電変換出力から信号ａ（ｉ），ｂ（ｉ）を抽出する処理を、複数のマイクロレンズについてそれぞれ行い、第１信号列｛ａ（ｉ）；ｉ＝１，２，３，４，・・・｝及び第２信号列｛ｂ（ｉ）；ｉ＝１，２，３，４，・・・｝を作成する第２作成手段と、前記第１作成手段が作成する１対の信号列と前記第２作成手段が作成する１対の信号列とのうち一方を所定の判断基準で選択し、選択された１対の信号列が表す１対のパターンの間のズレ量により、前記結像光学系の前記予定焦点面における結像状態を検出する結像状態演算手段とを備える。
【手続補正３】
【補正対象書類名】明細書
【補正対象項目名】０００７
【補正方法】変更
【補正の内容】
【０００７】
なお、前記受光部アレイを前記予定焦点面上に逆投影した場合に形成される受光部像の配列ピッチＰｄは、前記マイクロレンズの配列ピッチＰよりも小さくてもよい。
【手続補正４】
【補正対象書類名】明細書
【補正対象項目名】０００８
【補正方法】変更
【補正の内容】
【０００８】
また、前記マイクロレンズの配列ピッチをＰ、前記結像光学系の部分瞳から１つの受光部へ入射する光束のＦ値をＦP、前記結像光学系の瞳の分割数をＱとしたとき、前記マイクロレンズアレイの配置面から前記予定焦点面までの距離Ｌは、次式を満たしてもよい。
Ｐ×ＦＰ ＞ Ｌ ≧ Ｐ×ＦＰ／（Ｑ−４）
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、前記複数の受光部アレイの中には、受光部の配列方向が第１方向である複数の第１受光部アレイと、受光部の配列方向が前記第１方向とは異なる第２方向である複数の第２受光部アレイとが存在することが望ましい。
また、前記複数の第１受光部アレイを個別に設けた複数のマイクロレンズと、前記複数の第２受光部アレイを個別に設けた複数のマイクロレンズとは、市松模様に配置されてもよい。
【手続補正７】
【補正対象書類名】明細書
【補正対象項目名】００１１
【補正方法】変更
【補正の内容】
【００１１】
また、前記複数の第１受光部アレイと前記複数の第２受光部アレイとは、市松模様に配置されることが望ましい。
また、前記第１受光部アレイを設けたマイクロレンズの配列ピッチと、前記第２受光部アレイを設けたマイクロレンズの配列ピッチとは、互いに異なってもよい。
また、前記第１受光部アレイのアレイ方向の長さと、前記第２受光部アレイのアレイ方向の長さとは、互いに異なってもよい。
また、前記複数の受光部アレイの中には、互いに異なる分光感度特性を有した複数種類の受光部が存在してもよい。
また、前記複数の第１受光部アレイの中には、互いに異なる分光感度特性を有した複数種類の第１受光部アレイが存在してもよい。
また、前記複数種類の受光部のうち、特定の分光感度特性を有した特定種類の受光部は、他の分光感度特性を有した他種類の受光部よりも高密度に配列されてもよい。
また、前記複数の第１受光部アレイ及び前記複数の第２受光部アレイの各々の中には、特定の波長に感度を有した受光部が存在してもよい。
【手続補正８】
【補正対象書類名】明細書
【補正対象項目名】００１２
【補正方法】変更
【補正の内容】
【００１２】
また、互いに異なる分光感度特性を有した複数種類の受光部の間では、互いの大きさが異なってもよい。
また、本発明のカメラは、上述した何れかの結像状態検出装置を焦点検出装置として内蔵する。
さらには、本発明の受光ユニットは、上述した結像状態検出装置における前記マイクロレンズアレイと受光部アレイとを有する。